(57)【要約】【課題】  設置する屋根の下位側の上側フレームの一部が隣接する上位側の下側フレーム上に積層することにより、最下位のフランジ部が下方に突出することがなくなり、施工効率が向上する。【解決手段】  下位側の太陽電池モジュール１の上側フレーム３のフランジ部３ｂが、上位側の太陽電池モジュール１’の下側フレーム４上に積層される。この際に、先に設置した上位側の太陽電池モジュール１’の下側フレーム４に設けた凹条部４ｃ、４ｄに、太陽電池モジュール１の上側フレーム３の凸条部３ｃ、３ｄが嵌合するように重ね合わせる。  下位側の太陽電池モジュール１’の上側フレーム３のフランジ部３ｂのねじ孔３ｇ、３ｈからねじ２２を挿通し、上位側の太陽電池モジュール１’のねじ孔４ｇ、４ｈにねじ立てをしてフランジ部３ｂを下側フレーム４に固定する。【選択図】図８
2008255708.tif 000002
【特許請求の範囲】
【請求項１】
傾斜面上に沿って配列する複数枚の枠体状のパネル板を基体上に固定するパネル板の固定方法において、上方側にひさし状のフランジ部を有する上側フレーム、傾斜方向の下位側の前記パネルの前記フランジ部を重ねる下側フレーム、左側フレーム、右側フレームにより保持したパネル板を上位側のパネル板の前記下側フレーム上に、前記上側フレームのフランジ部を重ね合わせて配列することを特徴とするパネル板の固定方法。
【請求項２】
前記重ね合わせに際して、前記上側フレームのフランジ部の下面に長手方向に設けた凸条部又は凹条部を、上位側の前記下側フレームの上面に形成した凹条部又は凸条部に嵌合することを特徴とする請求項１に記載のパネル板の固定方法。
【請求項３】
前記上側フレームのフランジ部と前記下側フレームとの重ね合わせを固定手段により固定することを特徴とする請求項１又は２に記載のパネル板の固定方法。
【発明の詳細な説明】
【技術分野】
【０００１】
本発明は、例えば太陽光により発電する太陽電池モジュール等のパネル板を屋根等の傾斜面上に保持するためのパネル板の固定方法に関するものである。
【背景技術】
【０００２】
近年では、エコエネルギ、環境対策の一環から住宅の屋根上等に設置し、太陽光により発電を行う太陽光発電が注目されている。一般にこの太陽光発電は、単結晶、多結晶、アモルファスシリコン等から成る複数の太陽電池セルを基板上に配列し、電極、配線等を配置した太陽電池モジュールから電力を得るものであり、設置場所や設置面積に応じて複数個の太陽電池モジュールが並設している。
【０００３】
太陽電池モジュールは屋根上に単に敷設してゆく場合があるが、雨水の処理を考えると、屋根の下側から一部を重ね合わせながら配列してゆくことが行われている。
【０００４】
このために、上下に隣接する太陽電池モジュール同士は、雨水対策の点から上側の太陽電池モジュールのひさし状のフランジ部が下側の保持部材の上に重なることが好ましい。
【０００５】
この場合に、太陽電池モジュールは金属製の枠体として保持して屋根上に並設するのが通常であり、この枠体は同じ寸法、形状のものを使用することが、コスト的にも作業上からも好適である。
【発明の開示】
【発明が解決しようとする課題】
【０００６】
しかし、そのためには上位側の太陽電池モジュールのフランジ部を下位側の太陽電池モジュールに重ね合わせることになるが、最下位に配列した太陽電池モジュールに設けたフランジ部は前方に突出してしまうことになる。
【０００７】
このフランジ部は軒先よりも前方に突出し、太陽電池モジュールの下部を補強する場合の邪魔になることもあり、風が強い場合にはこのフランジ部が風を受け、太陽電池モジュールが浮き上ってしまうこともある。従って、最下位の太陽電池モジュールについては、フランジ部を切削するなどの処理を必要とする。
【０００８】
本発明の目的は、上述の課題を解決し、フランジ部の切削を不要とする効率の良いパネル板の固定方法を提供することにある。
【課題を解決するための手段】
【０００９】
上述の目的を達成するための本発明に係るパネル板の固定方法の技術的特徴は、傾斜面上に沿って配列する複数枚の枠体状のパネル板を基体上に固定するパネル板の固定方法において、上方側にひさし状のフランジ部を有する上側フレーム、傾斜方向の下位側の前記パネルの前記フランジ部を重ねる下側フレーム、左側フレーム、右側フレームにより保持したパネル板を上位側のパネル板の前記下側フレーム上に、前記上側フレームのフランジ部を重ね合わせて配列することにある。
【発明の効果】
【００１０】
本発明に係るパネル板の固定方法によれば、設置する屋根の下位側の上側フレームの一部が隣接する上位側の下側フレーム上に積層することにより、フランジ部が下方に突出することがなくなり、施工効率が向上する。
【発明を実施するための最良の形態】
【００１１】
本発明を図示の実施例に基づいて詳細に説明する。
図１は屋根上に固定するパネルとしての太陽電池モジュール１の分解斜視図を示しており、縦横約１８００×９００ｍｍ、厚み５ｍｍ前後の大きさの長方形の太陽電池パネル２は、周囲を例えばアルミニウム合金を押出成形して中空状の略四角柱に成形され、太陽電池パネル２の長辺を支持する上側フレーム３、下側フレーム４、同様に押出成形され短辺を支持する右側フレーム５、左側フレーム６により挟持される。フレーム同士をねじを介して組み立てることにより、太陽電池モジュール１が形成される。なお、図１においては構造を明確に表示するために、太陽電池パネル２の面積を実際よりも小さく模式的に表している。
【００１２】
図２は上側フレーム３のＡ−Ａ’断面図、図３は下側フレーム４のＢ−Ｂ’断面図、図４は右側フレーム５のＣ−Ｃ’断面図、図５は左側フレーム６のＤ−Ｄ’断面図をそれぞれ示し、右側フレーム５と左側フレーム６は同一の部材を左右対称に用いている。
【００１３】
上側フレーム３においては、その長さは太陽電池パネル２の長辺の長さとほぼ同等とされ、高さ、幅が約３０ｍｍ前後の上側フレーム３の下方側の上部内側には、太陽電池パネル２を挟持するために長手方向に溝部３ａが設けられ、上部外側にはひさし状のフランジ部３ｂが外方に向けて延設され、このフランジ部３ｂの下面には２列の凸条部３ｃ、３ｄが長手方向に設けられている。また、内側にはねじ立用のねじ溝３ｅ、３ｆが長手方向に沿って形成されている。更に、上側フレーム３上には、屋根上の上位側に隣接する他の下側フレーム４と固定するために、ねじ孔３ｇ、３ｈが穿けられている。
【００１４】
また上側フレーム３と同じ長さを有する下側フレーム４は、内部に強度を増すための仕切板４ａが設けられ、上部内側には太陽電池パネル２を挟持する溝部４ｂが設けられ、上面には長手方向に２列の凹条部４ｃ、４ｄが設けられている。また、上側フレーム３と同様に、内部にはねじ立用のねじ溝４ｅ、４ｆが長手方向に形成されている。更に下側フレーム４上には、下位側に隣接する他の上側フレーム３のねじ孔３ｇ、３ｈが重なる位置に、ねじ孔４ｇ、４ｈが穿けられている。
【００１５】
右側フレーム５は高さが上側フレーム３、下側フレーム４と同等の３０ｍｍ前後の略Ｌ字形状とされ、その長さは太陽電池パネル２の短辺の長さよりも上側フレーム３、下側フレーム４の幅分だけ長くされている。右側フレーム５の上部内側には、太陽電池パネル２を挟持するための溝部５ａが設けられ、下部外側には固定用のＬ字型の台座５ｂが張り出され、長手方向に沿って設けられている。押出成型後に、上側フレーム３及び下側フレーム４と接する部分の溝部５ａは、邪魔にならないように切削されている。
【００１６】
また右側フレーム５の側面には、上側フレーム３、下側フレーム４のねじ溝３ｅ、３ｆ、４ｅ、４ｆにねじを挿通するための孔部５ｃ〜５ｆが穿けられている。更に、台座５ｂには屋根上に固定するための孔部５ｇ、５ｈが穿けられている。右側フレーム５の上面には、長手方向に沿って後述するカバー部材の一部を嵌合するための凹条部５ｉが形成されている。なお、左側フレーム６についても右側フレーム５と同等に製作されている。
【００１７】
組立に際しては、上側フレーム３の溝部３ａ、下側フレーム４の溝部４ｂに太陽電池パネル２を嵌め込んだ後に、右側フレーム５の溝部５ａ、左側フレーム６の溝部６ａを太陽電池パネル２に嵌め込む。この場合に、溝部３ａ、４ｂ、５ａ、６ａ内には例えばブチルゴム等を充填しておき、防水性、接着性等を高めることもある。
【００１８】
次に、右側フレーム５、左側フレーム６の側面の孔部５ｃ〜５ｆ、６ｃ〜６ｆから上側フレーム３のねじ溝３ｅ、３ｆ、下側フレーム４のねじ溝４ｅ、４ｆにねじ７をねじ立てして、フレーム同士を固定すると、図６に示すように太陽電池モジュール１が完成する。
【００１９】
図７は複数の太陽電池モジュール１を屋根上に左右方向に並べて連結した状態の断面図を示している。屋根の野地板１１上に傾斜方向に沿って所定幅のゴムシート１２が接着されている。太陽電池モジュール１を屋根の上方から、上位の太陽電池モジュール１の下側フレーム４上に下位の太陽電池モジュール１の上側フレーム３のフランジ部３ｂと重ねながら、下方に順次に配列してゆく。このとき、左右に隣接する太陽電池モジュール１、１’のそれぞれの右側フレーム５の台座５ｂ、左側フレーム６の台座６ｂをゴムシート１２上に並べてゆく。台座５ｂ、６ｂに設けられた孔部５ｇ、６ｇにねじ１３ａ、１３ｂを挿通し、ゴムシート１２を介して野地板１１にねじ込んで固定する。なお、ゴムシート１２は使用せずに、野地板１１に直接、右側フレーム５、左側フレーム６を固定してもよい。
【００２０】
隣接する右側フレーム５及び左側フレーム６の上、つまり太陽電池モジュール１、１’間の間隙には、押圧成型により造られた防水のための長尺のカバー部材１５を被着する。上面を山型に折り曲げた頂部１４を有するカバー部材１５は、据部から左右両側に張り出した平面部１６ａ、１６ｂの下面に、右側フレーム５の凹条部５ｉ、左側フレーム６の凹条部６ｉに嵌合する凸条部１７ａ、１７ｂが形成されている。頂部１４の真下には固定部１８が吊設されており、固定部１８の長手方向の数個所に孔部１９が設けられ、これらの孔部１９の直上の頂部１４には、ねじを操作するための操作孔２０が設けられている。
【００２１】
屋根上に配列された太陽電池モジュール１、１’の右側フレーム５、左側フレーム６の上に、カバー部材１５の平面部１６ａ、１６ｂを載置し、凸条部１７ａ、１７ｂを凹条部５ｉ、６ｉに嵌合する。更に、操作孔２０、孔部１９から、ねじ２１をゴムシート１２、野地板１１にねじ込んで、固定部１８によりカバー部材１５を固定する。
【００２２】
太陽電池モジュール１同士の傾斜方向に沿った配列については、図８に示すように、下位側の太陽電池モジュール１の上側フレーム３のフランジ部３ｂが、上位側の太陽電池モジュール１’の下側フレーム４上に積層される。この際に、前述したように屋根の上方から太陽電池モジュール１’を配列してゆくが、先に設置した上位側の太陽電池モジュール１’の下側フレーム４に設けた凹条部４ｃ、４ｄに、太陽電池モジュール１の上側フレーム３の凸条部３ｃ、３ｄが嵌合するように重ね合わせてゆく。なお、上側フレーム３の凸条部３ｃ、３ｄを凹条部とし、下側フレーム４の凹条部４ｃ、４ｄに凸条部とすることもできる。
【００２３】
下位側の太陽電池モジュール１’の上側フレーム３のフランジ部３ｂのねじ孔３ｇ、３ｈからねじ２２を挿通し、上位側の太陽電池モジュール１’のねじ孔４ｇ、４ｈにねじ立てをしてフランジ部３ｂを下側フレーム４に固定する。本実施例においては１個のフレームより２本のねじ２２を用いたが、ねじ２２の本数は適宜変更することができる。
【００２４】
このように、ねじ２２を用いて上側フレーム３と下側フレーム４を固定し、下側フレーム４には凹条部４ｃ、４ｄを設けているため、上側フレーム３と下側フレーム４のと積層部の隙間から水が野地板１１まで浸入する虞れは少ない。雨水は太陽電池モジュール１の表面を伝わって下方に流れる。なお、最上位の太陽電池モジュール１のフランジ部３ｂは必要に応じてカバー等により覆えば問題はない。
【００２５】
この場合に軒先には、上側フレーム３のフランジ部３ｂを積層するために、強度的に優れた下側フレーム４が位置することになり、好都合である。
【産業上の利用可能性】
【００２６】
本実施例においては、パネル状の太陽電池モジュールのパネルを保持する場合について説明したが、太陽光発電以外にも屋根上等にパネル板を固定する場合にも用いることもできる。
【図面の簡単な説明】
【００２７】
【図１】太陽電池モジュールの分解斜視図である。
【図２】上側フレームのＡ−Ａ’断面図である。
【図３】下側フレームのＢ−Ｂ’断面図である。
【図４】右側フレームのＣ−Ｃ’断面図である。
【図５】左側フレームのＤ−Ｄ’断面図である。
【図６】太陽電池モジュールの斜視図である。
【図７】左右方向に連結した状態の断面図である。
【図８】上下方向に連結した状態の断面図である。
【符号の説明】
【００２８】
１  太陽電池モジュール
２  太陽電池パネル
３  上側フレーム
３ａ、４ｂ、５ａ、６ａ  溝部
３ｂ  フランジ部
３ｃ、３ｄ、１７ａ、１７ｂ  凸条部
３ｅ、３ｆ、４ｅ、３４ｆ  ねじ溝
３ｇ、３ｈ、４ｇ、４ｈ、５ｇ、５ｈ、６ｇ、６ｈ  ねじ孔
４  下側フレーム
４ｃ、４ｄ、５ｉ、６ｉ  凹条部
５  右側フレーム
５ｂ、６ｂ  台座
５ｃ〜５ｆ、６ｃ〜６ｆ  孔部
６  左側フレーム
１１  野地板
１２  ゴムシート
１５  カバー部材
【図１】
2008255708.tif 000003
【図２】
2008255708.tif 000004
【図３】
2008255708.tif 000005
【図４】
2008255708.tif 000006
【図５】
2008255708.tif 000007
【図６】
2008255708.tif 000008
【図７】
2008255708.tif 000009
【図８】
2008255708.tif 000010